(57)【要約】【課題】高画質の撮影機器が増え高消費電力となり、冷却を確保するため、ファンによる空気の流量を増やしており、冷却させる吸排気口も大面積が必要になため、本体筺体の複数の面に吸気口を設けて吸気口面積を確保することが考えられている。撮影機器本体を把持する指や、撮影機器本体の設定を操作する指が、ダクト開口部に近接した場合に、ダクト内に吸入、排出される空気の流れに影響しない手段を設ける必要である。前記、ダクト内に吸入、排出される空気の流れに影響しない手段としては、撮影機器本体の大型化や、部品増加をしないで、設定することが求められている。【解決手段】撮影機器本体の吸排気口の配置と開口面の形状を工夫することで、撮影機器本体の大型化や部品増加をしないで、撮影機器本体を把持する指や、撮影機器本体の設定を操作する指が、ダクト開口部を覆ったり空気の流れに影響を与えない形態を可能とした。【選択図】図１
2018196071.tif 000002
【特許請求の範囲】
【請求項１】
本体筺体内部に、内部発熱源を冷却するためのダクトと、前記ダクト内に空気の流れを起こし本体筺体外部から吸排気を行うファンを内臓し、本体筺体を把持するグリップ部を有する撮影機器において、ダクトの開口とつながる本体筺体の前方に設けられた第１の開口と第２の開口、本体筺体の後方に設けられた第３の開口を有し、前記第１の開口と第２の開口は、それぞれ異なる第１の開口面と第２の開口面に配置され、少なくとも一部がレンズ光軸より上方に設けられているとともに、前記第１の開口面の下方には、突起形状が設けられており、前記第２の開口面は、本体上方に向かって光軸方向に後退していることを特徴とする撮影機器。
【請求項２】
前記第２の開口面の光軸方向前方には、光軸中心を回転中心とする撮影機器の設定を変更するための操作部が設けられていることを特徴とする請求項１に記載の撮影機器
【請求項３】
前記第１の開口と第２の開口は、前記ダクトに空気を吸入するための開口であり、第３の開口は、前記ダクトの空気を排出するための開口であることを特徴とする請求項１又は請求項２に記載の撮影機器。
【請求項４】
前記第１の開口と第２の開口は、前記ダクトの空気を排出するための開口であり、第３の開口は、前記ダクトに空気を吸入するための開口であることを特徴とする請求項１又は請求項２に記載の撮影機器。
【発明の詳細な説明】
【技術分野】
【０００１】
本発明は、電子機器作動時の発熱を冷却するための冷却構造に関する。
【背景技術】
【０００２】
電子機器では、作動させた時に発熱する電子回路を放熱用のダクトと接触させ、ダクト内の空気を電子機器本体に内臓したファンを使って、電子機器本体表面に設けたダクトの吸入口から排気口への流れを作って、強制空冷する冷却構造を使用している。
【０００３】
携帯性を有する撮影機器の場合、本体筺体を把持するグリップ部を有し、把持する手に空気の吸排気を妨げられないように吸排気口を設けていた。近年、高画質の撮影機器が増え高消費電力となり、冷却を確保するためファンによる空気の流量を増やしており、冷却させる吸排気口も大面積が必要になっている。本体筺体の複数の面に吸気口を設けて吸気口面積を確保することが考えられている（特許文献１）。
【先行技術文献】
【特許文献】
【０００４】
【特許文献１】特開２０１５−１７１１２２号公報
【発明の概要】
【発明が解決しようとする課題】
【０００５】
しかしながら、上記従来例では、撮影機器本体を把持する手がのダクト開口部近傍をに配置された場合や、撮影機器本体の設定を変更する操作部がダクト開口部近傍に配置された状態を想定していないため、以下のような問題点があった。
【０００６】
撮影機器本体を把持する指や、撮影機器本体の設定を操作する指が、ダクト開口部に近接した場合に、ダクト内に吸入、排出される空気の流れに影響しない手段を設ける必要である。
前記、ダクト内に吸入、排出される空気の流れに影響しない手段は、撮影機器本体の大型化や、部品増加をしないで、設定することが求められている。
【課題を解決するための手段】
【０００７】
上記の課題を解決するために、本発明に係る撮影機器は、
本体筺体内部に、内部発熱源を冷却するためのダクトと、前記ダクト内に空気の流れを起こし本体筺体外部から吸排気を行うファンを内臓し、本体筺体を把持するグリップ部を有する撮影機器において、ダクトの開口とつながる本体筺体の前方に設けられた第１の開口と第２の開口、本体筺体の後方に設けられた第３の開口を有し、前記第１の開口と第２の開口は、それぞれ異なる第１の開口面と第２の開口面に配置され、少なくとも一部がレンズ光軸より上方に設けられているとともに、前記第１の開口面の下方には、突起形状が設けられており、前記第２の開口面は、本体上方に向かって光軸方向に後退していることを特徴としている。
【０００８】
また、前記第２の開口面の光軸方向前方には、光軸中心を回転中心とする撮影機器の設定を変更するための操作部が設けられていることを特徴としている。
【０００９】
また、前記第１の開口と第２の開口は、前記ダクトに空気を吸入するための開口であり、第３の開口は、前記ダクトの空気を排出するための開口であることを特徴としている。
【００１０】
また、前記第１の開口と第２の開口は、前記ダクトの空気を排出するための開口であり、第３の開口は、前記ダクトに空気を吸入するための開口であることを特徴としている。
【発明の効果】
【００１１】
本発明に係る撮影機器によれば、撮影機器本体の複数の側面にダクト開口部を設けて吸排気開口面積を設けた上で、撮影機器本体の大型化や、部品増加をしないで、撮影機器本体を把持する指や、撮影機器本体の設定を操作する指が、ダクト開口部を覆ったり空気の流れに影響を与えない形態を可能とした。
【図面の簡単な説明】
【００１２】
【図１】本発明の撮影機器の全体像を示す斜視図
【図２】本発明の吸気口、及び、排気口が設けられた面を正面視した側面図
【図３】本発明の撮影レンズ被写体側正面からみた側面図
【図４】図２のＡ−Ａ部の水平断面図
【図５】撮影者が撮影機器本体に左右の手をあてがっている状態を示す、図２の側面図
【図６】撮影者が撮影機器本体に左手をあてがっている状態を示す、図３の側面図
【図７】撮影者が撮影機器本体の操作部を操作している状態を示す、図３の側面図
【図８】撮影者が撮影機器本体の操作部を操作している状態を示す、図２の側面図
【発明を実施するための形態】
【００１３】
以下、本発明を実施するための形態について、図面を参照しながら説明する。
【００１４】
＜第１の実施形態＞
図１〜図８は本実施例の形態を示す図で、図１〜図４において、本実施例の撮影機器の構成を説明する。
【００１５】
図１は本発明の撮影機器の全体像を示す斜視図である。
【００１６】
１は撮影機器本体、２は、撮影機器本体１の内部冷却用の空気を吸入するための第１吸気口で、撮影レンズ光軸Ｌに沿った側面に設けられている。３は、第１吸気口２と異なる側面に設けられた第２吸気口で、撮影レンズ４の被写体面側に設けられている。５は、第１吸気口２、第２吸気口３から吸入された空気を撮影機器本体１の内部を通過させて外部に排出する排気口である。
【００１７】
図２は、第１吸気口２、及び、排気口５が設けられた面を正面視した側面図、図３は、撮影レンズ４を被写体側からみた側面図である。
【００１８】
第１吸気口２、及び、第２吸気口３は、撮影レンズ光軸Ｌより、上方により広い開口になるように設けられ、第１吸気口２の下方には、突起部６が設けられている。第２吸気口３が設けられた側面は、図２で示されるように、被写体側から後方に傾斜Ｂ、傾いた傾斜面となっている。
【００１９】
図４は、図２のＡ−Ａ部の水平断面図である。
【００２０】
７は、撮影機器の動作を制御する制御部が配置されたメイン基板、８は、第１吸気口２、第２吸気口３から吸入した空気が排気口５から排出されるまでの空間を構成するダクト、９は、ダクト８内部の空気の流れを起こすファンで、ダクト８の内部は第１吸気口２、第２吸気口３、排気口５、ファン９と接する開口９ａ以外は閉じられた空間となっている。ダクト８のメイン基板７と対面する側のダクト壁８ａは、メイン基板７と不図示の伝熱ゴム等を介して接触しており、メイン基板７の発熱部からの熱をダクト８の空間内の空気に伝熱させる。
【００２１】
１０は、撮影機器本体１の被写体側先端部に設けられた撮影レンズ光軸Ｌを中心に操作する回転リングで、この回転リング１０を回転操作することで、撮影レンズ４の焦点調整が可能である。１２、１３はフロント金具とリア金具で、フロント金具１２とリア金具１３の間に図１に図示された甲当てベルト１４を装着することで、撮影機器本体１を左手で把持し、甲当てベルト１４で安定して保持できるようになっている。甲当てベルト１４は、図２、図３において、不図示としている。２０は、撮像素子、２１はバッテリ、２２は画像表示部である。
【００２２】
図５〜図８において、本実施例の撮影機器を把持した状態を説明する。
【００２３】
図５は、撮影者が撮影機器本体１に左右の手をあてがっている第１吸気口２、及び、排気口５が設けられた面を正面視した側面図である。図６は、撮影者が撮影機器本体１に左手をあてがっている撮影レンズ４を正面視した側面図である。
【００２４】
図５において、撮影機器本体１を撮影者が右手３０で把持し、左手３１で撮影機器本体１を下から支えるようにあてがうと、左手３１で撮影機器本体１の回転リング１０下側を持つことになる。そして、左手３１の人差し指３１ａを回転リング１０を操作するため、回転リング１０外周に添えると、中指３１ｂが第１吸気口２の下側に、薬指３１ｃと小指３１ｄは、フロント金具１２側に配置される。図６において、左手３１の人差し指３１ａと親指３１ｅで、回転リング１０を撮影レンズ４を挟んで左右からつまむように持ち、回転リング１０を回転操作可能としている。回転リング１０は、人差し指３１ａと親指３１ｅを屈伸させることで回転操作できる。
【００２５】
このように、撮影機器本体１を左右の手で把持した時、中指３１ｂは、第１吸気口２の下側に設けられた突起部６に近接する。もし、中指３１ｂが第１吸気口２にかかると、中指３１ｂは突起部６に触れるため、撮影者が中指３１ｂが第１吸気口２を塞いでいると認識でき、意識的に中指３１ｂを移動させることが可能となる。
【００２６】
図７は回転リング１０を時計回転方向Ａに操作した状態を示す撮影レンズ４を正面視した側面図で、人差し指３１ａが伸ばされ、親指３１ｅが、屈曲されている。図８は、図７の状態の第１吸気口２、及び、排気口５が設けられた面を正面視した側面図である。図７で、人差し指３１ａによって、第２吸気口３の前方に覆われているように見えるが、図８で示すように、第２吸気口３が配置された側面は上方が被写体側から後方に傾斜Ｂ、傾いた傾斜面となっているため、第２吸気口３の正面が塞がれることはない。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよく、吸排気口を逆にして、第１吸気口２、及び、第２吸気口３を排気口に、排気口５を吸気口にすることも可能である。
【符号の説明】
【００２８】
１  撮影機器本体、２  第１吸気口、３  第２吸気口、４  撮影レンズ、
５  排気口、６  突起部、７  メイン基板、８  ダクト、８ａ  ダクト壁、
９  ファン、１０  回転リング、１２  フロント金具、１３  リア金具、
１４  甲当てベルト、３０  右手、３１  左手、３１ａ  人差し指、
３１ｂ  中指、３１ｃ  薬指、３１ｄ  小指、３１ｅ  親指
【図１】
2018196071.tif 000003
【図２】
2018196071.tif 000004
【図３】
2018196071.tif 000005
【図４】
2018196071.tif 000006
【図５】
2018196071.tif 000007
【図６】
2018196071.tif 000008
【図７】
2018196071.tif 000009
【図８】
2018196071.tif 000010